(57)【要約】【課題】  キャップを簡単に取り付けることができるデジタルカメラを提供する。【解決手段】  デジタルカメラは、キャビネット２上にてレンズ５の前方に配備される取付けベース部３と、レンズ５を覆うキャップ１を具えている。取付けベース部３は上下に延びた支持部30を具え、キャップ１には取付けベース部３の前方から支持部30に引掛かり可能な掛り部４が設けられている。キャップ１は掛り部４が支持部30に引掛かった状態で上下スライド可能である。【選択図】  図３
2006235567.tif 000002
【特許請求の範囲】
【請求項１】
キャビネット上にて被保護体の前方に位置する取付けベース部と、被保護体を覆うキャップとを具え、取付けベース部は凹条又は凸条の平行支持部を有し、キャップは取付けベース部の前方から該平行支持部に引掛かり可能な掛り部を有し、キャップは掛り部が支持部に引掛かった状態で支持部の長手方向にスライド可能であることを特徴とする電気機器。
【請求項２】
キャビネット上にて被保護体の前方に位置する取付けベース部と、被保護体を覆うキャップとを具え、キャップは凹条又は凸条の平行支持部を有し、取付けベース部には、該取付けベース部の前方から装着されるキャップに引っ掛かり可能な掛り部が設けられ、キャップは支持部が掛り部に引掛かった状態で支持部の長手方向にスライド可能であることを特徴とする電気機器。
【請求項３】
被保護体はレンズであり、キャップには、取付けベース部に嵌合して、キャップの位置を定めるリブが設けられている請求項１又は２に記載の電気機器。
【請求項４】
キャビネット上にて被保護体の前方に位置する取付けベース部と、該取付けベース部に支持された枠状ホルダーと、該ホルダーに取り付けられ被保護体を覆うキャップとを具え、取付けベース部は上下に延びた凹条又は凸条の支持部を具え、ホルダーは該支持部に前方から或いは支持部端部から長手方向にスライドさせて引っ掛かり可能な掛り部を有し、キャップは一端側が回転可能にホルダーに支持されている電気機器。
【請求項５】
キャビネット上にて被保護体の前方に位置する取付けベース部と、該取付けベース部に支持された枠状ホルダーと、該ホルダーに取り付けられ被保護体を覆うキャップとを具え、ホルダーは凹条又は凸条の平行支持部を有し、取付けベース部には、該取付けベース部の前方から装着されるホルダーの平行支持部に引っ掛かり可能な掛り部が設けられ、キャップは一端側が回転可能にホルダーに支持されている電気機器。
【請求項６】
キャップは一端側が支持部の長手方向と直交する面内で回転可能に支持されている請求項４又は５に記載の電気機器。
【発明の詳細な説明】
【技術分野】
【０００１】
本発明は、被保護体を保護するキャップが装着される電気機器に関し、具体的にはレンズを保護するレンズキャップが着脱自在に装着されるデジタルカメラやビデオカメラのようなカメラ機器を主な対象としている。
【背景技術】
【０００２】
図１１は、従来のカメラ機器の斜視図である(例えば、特許文献１参照)。これは、ビデオカメラに関し、キャビネット(２)の側部には、レンズ(５)を内包した保持筒(22)が設けられている。保持筒(22)の前面には、レンズ保護用のキャップ(１)がレンズ(５)の前方から装着される。撮影時にはキャップ(１)が外され、撮影しないときは、キャップ(１)が装着されて、レンズ(５)を保護する。
【０００３】
上記以外にも、キャップとホルダーをセットにし、カメラ機器に設けた取付けベース部にホルダーを装着し、ホルダー上でキャップを開閉するものも実施されている。
【０００４】
【特許文献１】特開平６−２６１２３３号公報
【発明の開示】
【発明が解決しようとする課題】
【０００５】
従来の前者の構成では、キャップ(１)はレンズ(５)の前方から装着できるだけである。従って、キャップ(１)は保持筒(22)に対して、上下及び左右方向の位置を同時に合わせなければ取り付けできず、キャップ(１)の取り付けが面倒であった。
【０００６】
従来の後者の構成では、ホルダーのカメラ機器への脱着方向と、キャップのホルダーに対する開閉方向が同じであると、ホルダーとカメラ機器の嵌合力は、キャップとホルダーの嵌合力よりも大きいことが要求される。ホルダーとカメラ機器の嵌合力が、キャップとホルダーの嵌合力よりも小さいと、キャップを開くときにホルダーがカメラ機器から外れてしまう。
キャップは、レンズ保護の役割から、ホルダーから容易に開かない程度にホルダーに嵌合していなければならない。その嵌合力よりも更に大きな嵌合力でホルダーをカメラに嵌合保持しなければならないので、ホルダーのカメラ機器に対する脱着には力を要し、作業性が悪い問題があった。
本発明の目的は、キャップを簡単に取り付けることができる電気機器を提供することにある。
【課題を解決するための手段】
【０００７】
第１発明の電気機器は、キャビネット(２)上にて被保護体の前方に位置する取付けベース部(３)と、被保護体を覆うキャップ(１)とを具え、取付けベース部(３)は凹条又は凸条の平行支持部(30)(30)を有し、キャップ(１)は取付けベース部(３)の前方から該平行支持部(30)(30)に引掛かり可能な掛り部(４)(４)を有し、キャップ(１)は掛り部(４)(４)が支持部(30)(30)に引掛かった状態で、支持部(30)の長手方向にスライド可能である。
【０００８】
第２発明の電気機器は、キャビネット(２)上にて被保護体の前方に位置する取付けベース部(３)と、該取付けベース部(３)に支持された枠状ホルダー(６)と、該ホルダー(６)に取り付けられ被保護体を覆うキャップ(１)とを具え、取付けベース部(３)は凹条又は凸条の平行支持部(30)(30)を具え、ホルダー(６)には該支持部(30)(30)に前方から或いは支持部(30)の長手方向から引っ掛かり可能な掛り部(４)(４)が設けられ、キャップ(１)は一端側が回転可能にホルダー(６)に支持されている。
【発明の効果】
【０００９】
第１発明の効果
キャップ(１)を取付けベース(３)の前方から押し込み、掛り部(４)(４)が平行支持部(30)(30)に引掛かると、キャップ(１)は取付けベース部(３)に取り付けられる。即ち、キャップ(１)は取付けベース部(３)の前方から取り付け可能である。
キャップ(１)を平行支持部(30)(30)の長手方向の延長上に位置させ、掛り部(４)(４)を支持部(30)(30)の端部に引掛けた状態で、キャップ(１)を支持部(30)方向にスライドさせると、キャップ(１)は取付けベース部(３)に取り付けられる。即ち、キャップ(１)は取付けベース部(３)の支持部(30)の延長上から取り付け可能である。
このようにして、キャップ(１)をレンズ(５)の中心から離れた位置に配備しても、該キャップ(１)をスライドさせることによって、キャップ(１)は取付けベース部(３)に正確に取り付けられる。即ち、キャップ(１)は取付けベース部(３)の前方からでも、側方向からでも取り付け可能であるから、キャップ(１)を取付けベース部(３)に装着する際の操作性が向上する。換言すれば、キャップ(１)が簡単に取り付けできる。
【００１０】
第２発明の効果
キャップ(１)を具えたホルダー(６)を取付けベース(３)の前方から押し込み、掛り部(４)が支持部(30)に引掛かると、ホルダー(６)は取付けベース部(３)に取り付けられる。即ち、キャップ(１)を含むホルダー(６)は、取付けベース部(３)の前方から取り付け可能である。
キャップ(１)を具えたホルダー(６)を平行支持部(30)(30)の長手方向の延長上に位置させ、掛り部(４)を支持部(30)の端部に引掛けた状態でキャップ(１)を支持部(30)方向にスライドさせると、キャップ(１)を含むホルダー(６)は取付けベース部(３)に取り付けられる。即ち、キャップ(１)を含むホルダー(６)は、取付けベース部(３)の支持部(30)の延長上から取り付け可能である。
このようにして、キャップ(１)を含むホルダー(６)をレンズ(５)の中心から離れた位置に配備しても、該ホルダー(６)をスライドさせることによって、キャップ(１)は取付けベース部(３)に正確に取り付けられる。即ち、キャップ(１)は取付けベース部(３)の前方からでも、側方向からでも取り付け可能であるから、キャップ(１)を取付けベース部(３)に装着する際の操作性が向上する。換言すれば、キャップ(１)が簡単に取り付けできる。
【００１１】
ホルダー(６)を平行支持部(30)(30)から外すには、ホルダー(６)を前方に引っ張り、或いは支持部(30)の長手方向にスライドさせて、平行支持部(30)(30)と掛り部(４)(４)の係合を外せばよい。
キャップ(１)はホルダー(６)上に回転可能に支持されており、キャップ(１)の開閉方向と、ホルダー(６)の掛り部(４)と支持部(30)の脱出方向とは一致しないから、掛り部(４)(４)と平行支持部(30)(30)の係合が緊密でなくても、キャップ(１)を開く際に、掛り部(４)が支持部(30)から外れて、電気機器の取付けベース部(３)からキャップ(１)を含むホルダー(６)が外れる虞れはない。
【発明を実施するための最良の形態】
【００１２】
以下に、本発明の第１発明及び第２発明を、図を用いて詳述する。以下の説明では、電気機器として、カメラ機器、具体的にはデジタルカメラを例示する。
第１発明(図１乃至図８)
図１に示す如く、カメラ機器のキャビネット(２)上には、撮像した画像を表示する液晶パネル(20)がヒンジ(21)接続され、キャビネット(２)の前面には円形開口(31)を有する枠板状の取付けベース部(３)が設けられている。該開口(31)の奥部でキャビネット(２)内に撮像用のレンズ(５)が配備される。
取付けベース部(３)には、開口(31)に被さってレンズ(５)を保護するキャップ(１)が取り付けられる。
キャップ(１)は合成樹脂製であって、図２に示すように、両側に弾性変形可能な掛り部(４)(４)を具えている。後記の如く、掛り部(４)(４)によってキャップ(１)の左右位置が定まる。また、キャップ(１)は内側の上下端部に、上下位置決め用のリブ(10)(10)を設けている。
【００１３】
図３は、取付けベース部(３)とキャップ(１)の正面図である。取付けベース部(３)は、中央にレンズ(５)を開放する開口(31)を有し、両側の側縁に上下に延びて互いに平行な凹条の支持部(30)(30)を具えている。前記キャップ(１)の掛り部(４)(４)は弾性変形して支持部(30)(30)に係合し、キャップ(１)は取付けベース部(３)に保持される。前記リブ(10)が開口(31)の周縁に接し、又は接近してキャップ(１)は取付けベース部(３)に対して上下位置が定まる。
【００１４】
(キャップの取り付け)
キャップ(１)は取付けベース部(３)の前方からでも、上方からでも取り付けることができる。
キャップを前方から取り付ける場合
図４は、キャップ(１)が取付けベース部(３)に取り付けられた状態を示す断面図であり、図１をＡ−Ａ線を含む面にて破断している。キャップ(１)を前方から取り付けるには、先ずキャップ(１)を開口(31)の前方に配備して、取付けベース部(３)に向けて押し込む。リブ(10)(10)が開口(31)内に位置して、キャップ(１)の取付けベース部(３)への押し込みが案内される。掛り部(４)は先端部が取付けベース部(３)の支持部(30)に当たって外向きに弾性変形し、該先端部が支持部(30)を通過すると、弾性復帰して支持部(30)に引掛かる。
【００１５】
キャップを上方から取り付ける場合
図５(a)、(b)及び図６は、キャップ(１)を取付けベース部(３)の上方から取り付ける状態を示す断面図であり、図１をＢ−Ｂ線を含む面にて破断している。取付けベース部(３)の上縁部には、傾斜面(32)が形成されており、リブ(10)の内側には傾斜面(32)に接するテーパ面(11)が設けられている。
先ずキャップ(１)の掛り部(４)(４)を取付けベース部(３)上の支持部(30)の上端から係合し、図５(a)に示すようにスライド下降させる。
リブ(10)が取付けベース部(３)に当たると、テーパ面(11)と傾斜面(32)とが接することによってリブ(10)はスムーズに取付けベース部(３)に乗り上げる。キャップ(１)が更に下降すると、キャップ(１)が合成樹脂製であるから、リブ(10)が前方に撓む。リブ(10)が開口(31)の内側に位置すると、リブ(10)が弾性復帰して、リブ(10)は開口(31)内に位置する。  このとき、キャップ(１)を下降させている使用者の指は、クリック感を感じ、キャップ(１)が正しく装着されたことが判る。リブ(10)(10)は開口(31)の上下端部に接し、又は接近してキャップ(１)の上下位置が定まる。
キャップ(１)を外す場合は、キャップ(１)の突起部分に指を掛けて前方に外すことができる。
【００１６】
このようにして、キャップ(１)をレンズ(５)の中心から離れた位置に配備しても、該キャップ(１)をスライド下降させることによって、キャップ(１)は取付けベース部(３)に正確に取り付けられる。即ち、キャップ(１)は取付けベース部(３)の前方からでも、上方からでも取り付けられるから、キャップ(１)を取付けベース部(３)に装着する際の操作性が向上する。換言すれば、キャップ(１)が簡単に取り付けられる。
【００１７】
又、リブ(10)が開口(31)に嵌合してキャップ(１)の上下位置が定まるとしたが、リブ(10)は取付けベース部(３)上に任意に設けられた孔(図示せず)に嵌まってもよい。
更にキャップ(１)は掛り部(４)を支持部(30)の下端に嵌合させた状態で、上向きにスライドさせて取付けベース部(３)に取り付けてもよい。
【００１８】
第２発明(図８乃至図１０)
上記第１発明が、取付けベース部(３)に直接にキャップ(１)を取り付けるのに対し、第２発明は、ホルダー(６)を介してキャップ(１)を取付けベース部(３)に取り付ける点が構成上の相違である。
キャップ(１)及びホルダー(６)以外は、第１発明で説明済みであるから第１発明で用いた符号を付すことで説明は省略する。
【００１９】
ホルダー(６)は、矩形に形成され中央分に円形、四角形等のレンズ(５)を開放する大きな開口(61)を有している。
ホルダー(６)の左右両側縁は、内側に延び、更に互いに接近する方向に屈曲した掛り部(４)(４)が形成されている。該掛り部(４)(４)は、カメラ機器の取付けベース部(３)の支持部(30)(31)に引っ掛かり可能である。
図１０において、ホルダー(６)の左の端部には、図８、図９に示す如く、上下に間隔を存して２つのブラケット片(62)(62)を側方に突設している。
ホルダー(６)のブラケット片(62)とは反対側の側縁には、キャップ(１)を閉じ状態に軟係止するための係止溝(63)が形成されている。
【００２０】
キャップ(１)は合成樹脂製であって、ホルダー(６)を覆い隠す大きさの矩形に形成されている。キャップ(１)の左側端部に、前記ホルダー(６)上のブラケット片(62)(62)に嵌まる筒軸片(11)が突設されて、ブラケット片(62)(62)に跨って挿通された軸(33)が該筒軸片(11)を貫通して、キャップ(１)を軸(33)を中心に回転可能に支持している。該軸(33)は、取付けベース部(３)上の支持部(30)と平行である。即ち、キャップ(１)はホルダー(６)上にて、取付けベース部(３)の支持部(30)の長手方向と直交する面内で回転可能に支持されている。
キャップ(１)の自由端には、前記ホルダー(６)の係止溝(63)に樹脂の弾性変形によって係脱するロック片(12)が突設されている。
前記第１発明のキャップの取付け方法と同様にして、ホルダー(６)を取付けベース部(３)の支持部(30)(30)に対して前方から押し込んで掛り部(４)(４)を係合させることもでき、或いは掛り部(４)(４)を支持部(30)(30)の端部から係合して、ホルダー(６)をレンズ位置までスライドさせてすることもできる。
【００２１】
キャップ(１)はホルダー(６)上に、取付けベース部(３)の支持部(30)の長手方向と直交する面内で回転可能に支持されており、キャップ(１)の開閉方向と、ホルダー(６)の掛り部(４)と支持部(30)の脱出方向とは一致しないから、掛り部(４)と支持部(30)の係合が緊密でなくても、キャップ(１)を開く際に、掛り部(４)が支持部(30)から外れてカメラ機器の取付けベース部(３)からキャップ(１)を含むホルダー(６)が外れる虞れはない。
【００２２】
尚、ホルダー(６)の上下方向の位置決めは、前記第１実施例のキャップ(１)に設けたリプ(10)(10)を、ホルダー(６)の裏面に突設して、取付けベース部(３)の開口(31)に係合して行うことができる。
【００２３】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００２４】
例えば、実施例では、取付けベース部材(３)の支持部(30)は凹条であるが、これを図７に示す如く、凸条にして、キャップ(１)上の掛り部(４)、又はホルダー(６)上の掛り部(４)に、該凸条に係合する凹部を形成してもよい。
【００２５】
更に、実施例では、キャップ(１)又はホルダー(６)に、凸条又は凹条の掛り部(４)を形成し、取付けベース部(３)に該掛り部(４)に係合する支持部(30)を形成したが、これに代えて、キャップ(１)又はホルダー(６)に凸条又は凹条の掛り部を形成し、取付けベース部(３)に、該掛り部に係合する支持部を形成してもよい。
【００２６】
又、上記実施例では、支持部(30)は縦向きに延びているが、これに限らず、横向き、斜め向き等、方向は問わない。
【００２７】
更に、本願の技術的思想は、カメラ機器のみならず、被保護体を保護するキャップが取り付けられる電気機器全てに応用できる。
【図面の簡単な説明】
【００２８】
【図１】カメラ機器のキャビネットの斜視図である。
【図２】第１発明に係るキャップの裏面を示す斜視図である。
【図３】第１発明に係る取付けベース部とキャップの正面図である。
【図４】第１発明における、キャップが取付けベース部に取り付けられた状態を示す断面図であり、図１をＡ−Ａ線を含む面にて破断している。
【図５】第１発明において、(a)、(b)は、キャップを取付けベース部の上方から取り付ける状態を示す断面図であり、図１をＢ−Ｂ線を含む面にて破断している。
【図６】第１発明において、キャップを取付けベース部の上方から取り付ける状態を示す断面図であり、図１をＢ−Ｂ線を含む面にて破断している。
【図７】第１発明の他の実施例の断面図である。
【図８】第２発明において、キャップ付きホルダーを取付けベース部の上方から取り付ける状態を示す斜視図である。
【図９】第２発明において、キャップ付きホルダーを定位置にセットした状態の斜視図である。
【図１０】図９のＡ−Ａ線に沿う断面図である。
【図１１】従来のカメラ機器の斜視図である。
【符号の説明】
【００２９】
１  キャップ
２  キャビネット
３  取付けベース部
30  支持部
４  掛り部
５  レンズ
10  リブ
30  支持部
６  ホルダー
61  開口
【図１】
2006235567.tif 000003
【図２】
2006235567.tif 000004
【図３】
2006235567.tif 000005
【図４】
2006235567.tif 000006
【図５】
2006235567.tif 000007
【図６】
2006235567.tif 000008
【図７】
2006235567.tif 000009
【図８】
2006235567.tif 000010
【図９】
2006235567.tif 000011
【図１０】
2006235567.tif 000012
【図１１】
2006235567.tif 000013